(57)【要約】【課題】コストの低減及び薄型化を図りつつ、座席の状態に係わらず所望の場所に対して的確に光を照射することができる座席用照明装置を提供すること。【解決手段】座席に設置される座席用照明装置であって、面発光体と、前記面発光体を前記座席に連結する連結手段と、前記面発光体を回動して前記面発光体の光出射方向を調整する回動手段と、を有すること。【選択図】図１
2014117387.tif 000002
【特許請求の範囲】
【請求項１】
座席に設置される座席用照明装置であって、
面発光体と、
前記面発光体を前記座席に連結する連結手段と、
前記面発光体を回動して前記面発光体の光出射方向を調整する回動手段と、を有することを特徴とする座席用照明装置。
【請求項２】
前記連結手段は、前記座席の背部と前記面発光体の一端部とを連結し、
前記回動手段は、前記座席の背部と前記面発光体の一端部との連結部分に沿って延在する主回動軸を中心に前記面発光体を回動することを特徴とする座席用照明装置。
【請求項３】
前記主回動軸は、前記座席の座面に対して平行であることを特徴とする請求項２に記載の座席用照明装置。
【請求項４】
前記回動手段は、前記座席の背部に直交する方向に延在する副回動軸を更に備えることを特徴とする請求項２又は３に記載の座席用照明装置。
【請求項５】
前記面発光体は、ヒンジによって前記座席に連結されつつ回動自在に支持されていることを特徴とする請求項２乃至４のいずれか１項に記載の座席用照明装置。
【請求項６】
前記ヒンジは、互いに異なる方向に延在する複数の追加回動軸を備えることを特徴とする請求項５に記載の座席用照明装置。
【請求項７】
前記面発光体は、非使用時において前記座席の背部に対して平行に配置されることを特徴とする請求項１乃至６のいずれか１項に記載の座席用照明装置。
【請求項８】
前記発光パネルの発光面は、非使用時において前記座席の背部に近接する側に配置されることを特徴とする請求項７に記載の座席用照明装置。
【請求項９】
前記面発光体は、前記座席の背部に配設されたテーブルの使用面を照射することを特徴とする請求項１乃至８のいずれか１項に記載の座席用照明装置。
【請求項１０】
前記面発光体は、非使用時において前記テーブルと重なることを特徴とする請求項９に記載の座席用照明装置。
【請求項１１】
前記連結手段は、前記座席の側部と前記面発光体の一端部とを連結し、
前記回動手段は、前記面発光体と前記連結手段との接続部分を中心に前記面発光体を回動することを特徴とする請求項１に記載の座席用照明装置。
【請求項１２】
前記回動手段は、前記連結手段に沿って延在する主回動軸を備えることを特徴とする請求項１１に記載の座席用照明装置。
【請求項１３】
前記回動手段は、前記連結手段の一端に主回動軸を備えることを特徴とする請求項１１に記載の座席用照明装置。
【請求項１４】
前記連結手段は、伸縮自在であることを特徴とする請求項１１乃至１３のいずれか１項に記載の座席用照明装置。
【請求項１５】
前記連結手段は、前記座席の側部との接続部分が回動自在であることを特徴とする請求項１１乃至１４のいずれか１項に記載の照明装置。
【請求項１６】
前記面発光体は、非使用時において前記座席の側部に対して平行に配置されることを特徴とする請求項１１乃至１５のいずれか１項に記載の座席用照明装置。
【請求項１７】
前記面発光体の側部に配設される遮光板を更に有することを特徴とする請求項１乃至１６のいずれか１項に記載の座席用照明装置。
【請求項１８】
前記面発光体は、有機ＥＬ面発光パネルを備えることを特徴とする請求項１乃至１７のいずれか１項に記載の座席用照明装置。
【請求項１９】
航空機又はバスの座席に用いられることを特徴とする請求項１乃至１８のいずれか１項に記載の座席用照明装置。
【発明の詳細な説明】
【技術分野】
【０００１】
本発明は、輸送用機器又は各種の施設に備え付けられる座席に用いられ、面発光体を有する座席用照明装置に関する。
【背景技術】
【０００２】
航空機、バス、若しくは列車等の多人数を輸送する輸送用機器の内部スペース、又は会議場、劇場、映画館、若しくは野外ホール等の多人数が座席に座る施設のスペースにおいて、当該スペース全体を照らす照明を消すか、又はその明るさを落とす場合がある。例えば、夜間の輸送用機器内、上映中の映画館、又は講演中の会議場などにおいて、そのような照明の調整が行われる。
【０００３】
このような暗い環境下において、着座者が、例えば読書、資料の読み込み、又は飲食のために照明装置を必要とする場合があるため、輸送用機器では各座席の上方（例えば、天井）に個人用のスポット照明装置が備えられていることが多い。ここで、各種の施設等の集団で着座する暗い環境内において個人用の照明装置を使用する場合、個人用の照明装置の使用者の周囲に光が漏れると、その周囲の着座者が眩しさによって不快を感じる可能性がある。従って、個人用の照明装置の使用者の周囲への光の漏れを極力減らすことが望まれるが、上述した個人用スポット照明装置の場合、個人用の照明装置から使用者までの距離が長いため、照明装置から出射する光は使用者に到達する前に拡散してしまい、上述したような光の漏れを十分に防ぐことができなかった。また、会議場又は劇場等の天井が高い建物の場合、上述したような個人用スポット照明自体を設置できないという問題があった。
【０００４】
このような問題を解決する方法として、特許文献１には、前部座席の背面に後方座席の着座者が使用できる照明装置を埋め込む技術が開示されている。このような技術によれば、天井の高さにかかわらず照明が設置できる上、周囲への光の漏れを比較的抑制することができる。
【０００５】
しかしながら、特許文献１に開示された技術においては、前部座席の背面に照明装置を埋め込むため、前部座席の背面への凹部形成の加工が必要となり、座席の製造コストが増加してしまう。また、凹部の形成を可能にするためには、座席の背面の厚さを増加する必要があり、座席の部材自体のコストも増加する。更に、座席の背面の厚さを増加すると、同一面積において着座可能な人数が減ってしまうため、輸送用機器においては輸送人員の低下を招き、会議場や劇場等の施設では収容人員の低下を招くことになる。
【０００６】
このような輸送人員及び収容人員の低下、並びにコスト増加の抑制を可能とする技術として、例えば、特許文献２には、薄型の照明装置である有機エレクトロルミネッセンスパネル（有機ＥＬ（Electro Luminescence）、ＯＥＬ：Organic Electro Luminescence）をタクシー等の乗用車の前部座席の背面に貼り付ける技術が開示されている。
【先行技術文献】
【特許文献】
【０００７】
【特許文献１】特開平１０−４３００１号公報
【特許文献２】特開２００８−２７７００９号公報
【発明の概要】
【発明が解決しようとする課題】
【０００８】
しかしながら、特許文献２に開示されているような前部座席の背面に、後部座席の着座者のための有機ＥＬ照明装置を取り付ける場合、前部座席の背もたれの角度等の状態が変化すると光の照射方向が変化してしまい、後部座席の着座者の周囲に光が漏れる問題が発生する。また、前部座席の背もたれが座面に対してほぼ垂直の場合、光の照射方向が座席の背面に垂直な方向に固定されてしまい、主として照明が必要となる着座者の手元に十分な光が届かない上、後部座席の着座者の顔面が照射されて眩しく感じてしまう。
【０００９】
本発明はこのような課題に鑑みてなされたものであり、コストの低減及び薄型化を図りつつ、座席の状態に係わらず所望の場所に対して的確に光を照射することができる座席用照明装置を提供することにある。
【課題を解決するための手段】
【００１０】
上述した目的を達成するため、本発明の座席用照明装置は、座席に設置される座席用照明装置であって、面発光体と、前記面発光体を前記座席に連結する連結手段と、前記面発光体を回動して前記面発光体の光出射方向を調整する回動手段と、を有することを特徴とする。
【００１１】
上述した座席用照明装置において、前記連結手段は、前記座席の背部と前記面発光体の一端部とを連結し、前記回動手段は、前記座席の背部と前記面発光体の一端部との連結部分に沿って延在する主回動軸を中心に前記面発光体を回動してもよい。このような場合に、前記主回動軸は、前記座席の座面に対して平行であってもよい。
【００１２】
上述した座席用照明装置において、前記回動手段は、前記座席の背部に直交する方向に延在する副回動軸を更に備えていてもよい。
【００１３】
上述した座席用照明装置において、前記面発光体は、ヒンジによって前記座席に連結されつつ回動自在に支持されていてもよい。このような場合に、前記ヒンジは、互いに異なる方向に延在する複数の追加回動軸を備えていてもよい。
【００１４】
上述したいずれかの座席用照明装置において、前記面発光体は、非使用時において前記座席の背部に対して平行に配置されていてもよい。このような場合に、前記発光パネルの発光面は、非使用時において前記座席の背部に近接する側に配置されてもよい。
【００１５】
上述したいずれかの座席用照明装置において、前記面発光体は、前記座席の背部に配設されたテーブルの使用面を照射してもよい。このような場合に、前記面発光体は、非使用時において前記テーブルと重ってもよい。
【００１６】
また、上述した座席用照明装置において、前記連結手段は、前記座席の側部と前記面発光体の一端部とを連結し、前記回動手段は、前記面発光体と前記連結手段との接続部分を中心に前記面発光体を回動してもよい。
【００１７】
上述した座席用照明装置において、前記回動手段は、前記連結手段に沿って延在する主回動軸を備えもよい。一方、前記回動手段は、前記連結手段の一端に主回動軸を備えてもよい。
【００１８】
上述した座席用照明装置において、前記連結手段は、伸縮自在であってもよい。
【００１９】
上述した座席用照明装置において、前記連結手段は、前記座席の側部との接続部分が回動自在であってもよい。
【００２０】
上述した座席用照明装置において、前記面発光体は、非使用時において前記座席の側部に対して平行に配置されてもよい。
【００２１】
上述したいずれかの座席用照明装置において、前記面発光体の側部に配設される遮光板を更に有してもよい。
【００２２】
上述したいずれかの座席用照明装置において、前記面発光体は、有機ＥＬ面発光パネルを備えてもよい。
【００２３】
上述した座席用照明装置は、航空機又はバスの座席に用いられてもよい。
【発明の効果】
【００２４】
本発明の座席用照明装置によれば、発光源が比較的に薄く且つ小型の面発光体から構成されているため、座席用照明装置自体の薄型化及び小型化を容易に図ることができる。また、座席用照明装置自体の薄型化及び小型化により、座席等に大型の設置スペース、取り付け器具、又は取り付け構造を設ける必要がなくなり、座席用照明装置及びこれを設置する座席自体のコスト低減も図ることができる。更に、座席用照明装置が座席に対して回動自在に取り付けられているため、面発光体の光出射方向を容易に調整することができ、座席の状態に係わらず所望の場所に対して的確に光を照射することができる。
【図面の簡単な説明】
【００２５】
【図１】実施例１に係る座席用照明装置を備える座席の側面図である。
【図２】図１に係る座席の背面図である。
【図３】実施例１に係る有機ＥＬ面発光パネルの斜視図である。
【図４】実施例１に係る有機ＥＬ面発光パネルの断面図である。
【図５】実施例１に係る面発光照明装置の部分的な電気回路図である。
【図６】実施例１に係る座席用照明装置を前後方向に３個並設した状態を示す側面図である。
【図７】実施例１に係る座席用照明装置の非使用状態を示す側面図である。
【図８】実施例１に係る座席用照明装置の使用状態を示す側面図である。
【図９】実施例１の変形例に係る座席用照明装置を備える座席の背面図である。
【図１０】実施例１の変形例に係る座席用照明装置の側面図である。
【図１１】実施例１の変形例に係る座席用照明装置の正面図である。
【図１２】実施例２に係る座席用照明装置を備える座席の斜視図である。
【図１３】図１２に係る座席の正面図である。
【図１４】図１２に係る座席の側面図である。
【図１５】図１２に係る座席の側面図である。
【図１６】実施例２の変形例に係る座席用照明装置を備える座席の斜視図である。
【図１７】図１６に係る座席の正面図である。
【図１８】図１６に係る座席の側面図である。
【図１９】実施例２の変形例に係る座席用照明装置を備える座席の側面図である。
【図２０】実施例２の変形例に係る座席用照明装置を備える座席の側面図である。
【発明を実施するための形態】
【００２６】
以下、図面を参照し、本発明の実施の形態について、実施例及び変形例に基づき詳細に説明する。なお、本発明は以下に説明する内容に限定されるものではなく、その要旨を変更しない範囲において任意に変更して実施することが可能である。また、実施例及び変形例の説明に用いる図面は、いずれも本発明による座席用照明装置を模式的に示すものであって、理解を深めるべく部分的な強調、拡大、縮小、または省略などを行っており、座席用照明装置の縮尺や形状等を正確に表すものとはなっていない場合がある。更に、実施例及び変形例で用いる様々な数値は、いずれも一例を示すものであり、必要に応じて様々に変更することが可能である。
【実施例１】
【００２７】
＜座席用照明装置の構成＞
本発明の実施例に係る座席用照明装置を備える座席について、図１及び図２を参照しつつ説明する。図１は、実施例１に係る座席用照明装置を備える座席の側面図である。図２は、図１に係る座席の背面図である。
【００２８】
図１及び図２に示すように、座席１は、輸送用機器又は各種の施設に備え付けられる一般的な着座装置であって、着座者が腰掛ける座部１ａ、座部１ａの底面に取り付けられた脚部１ｂ、及び座部１ａの後端部に取り付けられた背部１ｃから構成されている。ここで、背部１ｃは、座部１ａに対する傾斜角を自在に変更することができるように、座部１ａに対して回動自在に接続されている。すなわち、座席１は、いわゆるリクライニング機能を備えている。
【００２９】
また、図１及び図２に示すように、座席１の背部１ｃには、座席用照明装置２が設置されている。座席用照明装置２は、有機ＥＬ面発光パネル３及び有機ＥＬ面発光パネル３の非発光面を被覆し且つ支持する支持体４からなる面発光体５と、面発光体５を回動自在に保持するヒンジ６とから構成されている。
【００３０】
より具体的な構成として、座席１の背部１ｃの裏面（すなわち、使用者の着座時において使用者と接触しない面）１ｄに２個のヒンジ６が取り付けられ、当該２個のヒンジ６によって支持体４の一端部が保持されている。そして、支持体４の支持面４ａ側に、有機ＥＬ面発光パネル３の非発光面が接触するように、有機ＥＬ面発光パネル３が貼り付けられている。すなわち、ヒンジ６は、座席１の背部１ｃと面発光体５の一端部とを連結する連結手段として機能している。
【００３１】
また、実施例１において、ヒンジ６の回動軸は、座席１の背部１ｃと面発光体５の一端部の連結部分に沿って延在し、且つ座席１の座面（すなわち、座部１ａの上面）に対して平行である。従って、座席用照明装置２の使用者は、当該回動軸を中心に面発光体５を回動させ、非使用位置（図１の実線によって示された位置）と使用位置（例えば、図１の破線で示された位置）との間において、面発光体５の位置を自在に変化させ、面発光体５から出射される光の方向を調整することになる。すなわち、ヒンジ６は、面発光体５を回動し、面発光体５の光出射方向を調整する回動手段としても機能している。
【００３２】
更に、ヒンジ６は、面発光体５を回動自在に保持するだけでなく、面発光体５を上述した非使用位置、及び各種の使用位置において、その状態を維持するためストッパ機構を備えている。これにより、面発光体５と背部１ｃとのなす角度を自在に変更しつつ維持することができるため、座席用照明装置２の使用者は、座席１の背部１ｃの状態及び光の照射位置に応じて、適宜面発光体５の位置を変更することができる。
【００３３】
なお、実施例１においては、ヒンジ６を連結手段及び回動手段として用いることにより、面発光体５を座席１の背部１ｃに取り付けていたが、面発光体５を座席１の背部１ｃに取り付ける手段はヒンジ６に限られることはなく、面発光体５を回動自在に連結することができれば、他の取り付け手段を用いてもよい。例えば、座席１の背部１ｃに設けられた回動中心軸を、面発光体５の端部に設けられた穴に差し込むような回動可能な軸構造により、面発光体５を座席１の背部１ｃに取り付けてもよい。
【００３４】
ここで、図１において実線で示すように、座席用照明装置２の非使用時において、面発光体５は座席１の背部１ｃに対して平行に配置されている。このように面発光体５を配置することにより、座席１を一列に複数並置する場合、前方に位置する座席１の背部１ｃから後方に位置する別の座席１に向かって突出する座席用照明装置２の突出量を小さくすることができ、前方に位置する座席１と後方に位置する座席１との間に広い空間を維持することができる。従って、座席１を複数並設する輸送用機器又は各種の施設において、座席１の設置数及び座席間隔を変更することなく、座席用照明装置２を座席１に設置することができ、収容人数の維持を図ることができる。
【００３５】
また、座席用照明装置２の非使用時において、面発光体５の発光面である有機ＥＬ面発光パネル３の露出面は、座席１の背部１ｃに近接する側に位置することになる。すなわち、座席用照明装置２の非使用時において、面発光体５の光出射面側は、座席１の背部１ｃと対向するように位置することになる。このような非使用時における座席用照明装置２の配置により、有機ＥＬ面発光パネル３の汚れ及び損傷等を防止することができる。
【００３６】
面発光体５の支持体４は、例えば、プラスチック基板等の比較的に軽量且つ硬質な部材から構成されている。これにより、座席用照明装置２の使用時において、面発光体５の強度を保ちつつ、面発光体５の回動を容易に行うことを可能にできる。ここで、図１に示すような座席用照明装置２の非使用時においては、有機ＥＬ面発光パネル３は視認されず、支持体４が視認されることになる。従って、座席用照明装置１が設置された座席１の美観が損なわれないように、支持体４の色又は模様等を適宜設定することが好ましい。例えば、支持体４の色を座席１の背部１ｃの色と同一にしてもよい。なお、支持体４は、金属基板又は樹脂成形体等の他の部材を用いてもよい。
【００３７】
図１の実線によって示す状態（非使用状態）から図１の破線によって示す状態（使用状態）に面発光体５を容易に回動させるために、面発光体５の使用者が面発光体５に対して指の力を付加しやすい構造となっていることが好ましい。例えば、面発光体５の非使用状態において、面発光体５と座席１の背部１ｃとを接触させず、面発光体５と座席１の背部１ｃとの間に隙間を設けるようにしてもよい。より具体的には、ヒンジ６によって非使用状態における面発光体５の停止位置を調整して上述した隙間を形成してもよく、又は支持体４の支持面４ａ側に有機ＥＬ面発光パネル３よりも突出する凸部を設け、当該凸部と座席１の背部１ｃとを接触させて上述した隙間を形成してもよい。また、指等で面発光体５を引っ張ることを容易にするために、支持体４の支持面４ａとは反対側の面に凸部や凹部を設けてもよい。
【００３８】
次に、有機ＥＬ面発光パネル３について、図３及び図４を参照しつつ詳細に説明する。ここで、図３は実施例１に係る有機ＥＬ面発光パネル３の斜視図であり、図４は実施例１に係る有機ＥＬ面発光パネル３の断面図である。
【００３９】
図３に示すように、有機ＥＬ面発光パネル３は、透明基板１１、有機ＥＬ発光素子１２、光拡散部１３、及び封止部１４から構成されている。また、有機ＥＬ発光素子１２は、発光色が赤色である有機ＥＬ発光素子１２Ｒ、発光色が緑色である有機ＥＬ発光素子１２Ｇ、発光色が青色である有機ＥＬ発光素子１２Ｂの３種類に分類される。
【００４０】
実施例１において、透明基板１１は、ガラス製の基板である。なお、透明基板１１は、可視光を透過する特性を有する基板であればよく、例えば、ポリエステル、ポリメタクリレート、ポリカーボネート、ポリイミド、ポリエチレンテレフタレート、ポリエチレンナフタレート又はポリスルホン等の透明な樹脂；セラミックスなどから構成されてもよい。
【００４１】
より具体的な有機ＥＬ面発光パネル３の構成として、透明基板１１の有機ＥＬ発光素子形成面１１ａ上には、有機ＥＬ発光素子１２Ｒ、有機ＥＬ発光素子１２Ｇ、及び有機ＥＬ発光素子１２Ｂが各々複数個ずつ、隣接する素子同士が互いに離間してストライプ状に並設されている。これらの有機ＥＬ発光素子は、有機ＥＬ発光素子１２Ｒ、１２Ｇ、１２Ｂの順序で繰り返して並置されている。このような構成により、有機ＥＬ発光素子１２Ｒから放射される赤色の光、有機ＥＬ発光素子１２Ｇから放射される緑色の光、及び有機ＥＬ発光素子１２Ｂから放射される青色の光を合成し、有機ＥＬ面発光パネル３から全体的に均一色の合成光を放射することになる。なお、各色の光を放射する有機ＥＬ発光素子１２Ｒ、１２Ｇ、１２Ｂのそれぞれの個数は１個ずつであってもよいが、発光面の拡大化及び有機ＥＬ面発光パネル３の高輝度化及び良好な光の混合を図る場合には、多くの有機ＥＬ発光素子１２Ｒ、１２Ｇ、１２Ｂを並置することが好ましい。
【００４２】
図４に示すように、発光色が赤色である有機ＥＬ発光素子１２Ｒは、透明基板１１上に形成された陽極（透明電極）１５Ｒ、陽極１５Ｒ上に形成された有機層１６Ｒ、及び有機層１６Ｒ上に形成された陰極（金属電極）１７Ｒから構成されている。同様に、発光色が緑色である有機ＥＬ発光素子１２Ｇは、透明基板１１上に形成された陽極（透明電極）１５Ｇ、陽極１５Ｇ上に形成された有機層１６Ｇ、有機層１６Ｇ上に形成された陰極（金属電極）１７Ｇから構成され、発光色が青色である有機ＥＬ発光素子１２Ｂは、透明基板１１上に形成された陽極（透明電極）１５Ｂ、陽極１５Ｂ上に形成された有機層１６Ｂ、有機層１６Ｂ上に形成された陰極（金属電極）１７Ｂから構成されている。なお、陽極１５Ｒ、１５Ｇ、１５Ｂのいずれかを指定しない場合には単に陽極１５と称し、有機層１６Ｒ、１６Ｇ、１６Ｂのいずれかを指定しない場合には単に有機層１６と称し、陰極１７Ｒ、１７Ｇ、１７Ｂのいずれかを指定しない場合には単に陰極１７と称する場合がある。すなわち、実施例１において、透明基板１１上には、各有機ＥＬ発光素子１２を構成する陽極１５、有機層１６及び陰極１７が順次積層されている。
【００４３】
また、陽極１５、有機層１６及び陰極１７の平面形状（すなわち、面積）は略同一である。従って、陽極１５、有機層１６及び陰極１７の側面は同一平面であり、有機ＥＬ発光素子１２の形状は、直方体である。
【００４４】
実施例１においては、陽極１５は、インジウム錫酸化物（ＩＴＯ）から構成されている。このため、陽極１５は、有機層１６に正孔を注入する機能を有し、且つ有機層１６からの発光に対して透光性を備えている。すなわち、陽極１５は、透明電極として機能する。陽極１５の形成は、スパッタリング法や真空蒸着法等により行われる。陽極１５の表面には、陽極１５上の不純物除去や、イオン化ポテンシャルの調整による正孔注入性向上の点から、紫外線照射やオゾン処理をしてから有機層１６を形成することが好ましい。
【００４５】
なお、陽極１５は、インジウム錫酸化物から構成されていることに限定されることなく、有機層１６に正孔を注入する機能を有し、且つ有機層１６からの発光に対して透光性を備えていれば、例えば、インジウム亜鉛酸化物等の金属酸化物、アルミニウム、金、銀、ニッケル、パラジウム、白金等の金属、ヨウ化銅等のハロゲン化金属、カーボンブラック、ポリ（３−メチルチオフェン）、ポリピロール等の導電性高分子等から構成されてもよい。また、陽極１５は、有機ＥＬ発光素子１２Ｒ、１２Ｇ、１２Ｂ毎に異なる材料から構成されてもよい。
【００４６】
図４において図示されていないが、有機ＥＬ発光素子は、更に正孔注入層、正孔輸送層、電子輸送層及び／又は電子注入層を有してもよい。その場合、陽極１５側から正孔注入層、正孔輸送層、発光層、電子輸送層及び電子注入層の順に積層された構造を有していることが好ましい。なお、このような積層構造の場合、有機層１６は正孔注入層、正孔輸送層、発光層、電子輸送層及び電子注入層から構成されてもよく、これらの一部の層から構成されてもよい。すなわち、各層の材料に有機材料を用いるか否かによって、有機層１６を構成する層が異なってくる。
【００４７】
上述した正孔注入層及び正孔輸送層は、正孔輸送性の材料から形成されることが好ましく、芳香族アミン誘導体、フタロシアニン誘導体、ポルフィリン誘導体、オリゴチオフェン誘導体、ポリチオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、ポリアニリン誘導体、ポリピロール誘導体、ポリフェニレンビニレン誘導体、ポリチエニレンビニレン誘導体、ポリキノリン誘導体、ポリキノキサリン誘導体、カーボン等が挙げられる。また、電子輸送層は、電子輸送性の材料から形成されることが好ましく、例えば、８−ヒドロキシキノリンのアルミニウム錯体などの金属錯体、１０−ヒドロキシベンゾ［ｈ］キノリンの金属錯体、オキサジアゾール誘導体、ジスチリルビフェニル誘導体、シロール誘導体、３−ヒドロキシフラボン金属錯体、５−ヒドロキシフラボン金属錯体、ベンズオキサゾール金属錯体、ベンゾチアゾール金属錯体、トリスベンズイミダゾリルベンゼン、キノキサリン化合物、フェナントロリン誘導体、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛などが挙げられる。電子注入層は、仕事関数の低い金属からなることが好ましい。例としては、ナトリウムやセシウム等のアルカリ金属、バリウムやカルシウムなどのアルカリ土類金属などが挙げられる。
【００４８】
上述した発光層に用いられる発光材料としては、以下のものが挙げられる。赤色発光を与える発光材料としては、例えば、ＤＣＭ（４−（ｄｉｃｙａｎｏｍｅｔｈｙｌｅｎｅ）−２−ｍｅｔｈｙｌ−６−（ｐ−ｄｉｍｅｔｈｙｌａｍｉｎｏｓｔｙｒｙｌ）−４Ｈ−ｐｙｒａｎ）系化合物、ベンゾピラン誘導体、ローダミン誘導体、ベンゾチオキサンテン誘導体、アザベンゾチオキサンテン等が挙げられる。また、緑色発光を与える発光材料としては、例えば、キナクリドン誘導体、クマリン誘導体、Ａｌ（Ｃ9Ｈ6ＮＯ）3等のアルミニウム錯体等が挙げられる。更に、青色発光を与える発光材料としては、例えば、ナフタレン、ペリレン、ピレン、アントラセン、クマリン、ｐ−ビス（２−フェニルエテニル）ベンゼン及びそれらの誘導体等が挙げられる。なお、上述した発光材料は、いずれか１種類のみを用いてもよく、２種類以上を任意の組み合わせ及び比率で併用してもよい。
【００４９】
実施例１においては、陰極１７は、透光性を有する必要がないため、アルミニウムから構成されている。すなわち、陰極１７は金属電極である。陰極１７の形成は、スパッタリング法や真空蒸着法等により行われる。なお、陰極１７は、アルミニウムに限定されること無く、例えば、スズ、マグネシウム、インジウム、カルシウム、銀等の金属又はそれらの合金等が用いられる。具体例としては、マグネシウム−銀合金、マグネシウム−インジウム合金、アルミニウム−リチウム合金等の低仕事関数の合金電極等が挙げられる。また、陰極１７は、有機ＥＬ発光素子１２Ｒ、１２Ｂ、１２Ｇ毎に異なる材料から構成されてもよい。
【００５０】
図３及び図４に示すように、光拡散部１３は、透明基板１１の有機ＥＬ発光素子非形成面１１ｂの全面を覆うように形成されている。光拡散部１３は、有機ＥＬ発光素子１２から放射される各色の光を拡散させ、均一に混色させる効果がある。このような効果により、ガラス基板である透明基板１１と光拡散部１３とからなる部材は、全体が単一の光源として機能する。実施例１において、光拡散部１３は透明樹脂に微粒子を分散したフィルムから構成されている。なお、光拡散部１３は、このフィルムに限定されることなく、例えば、基板表面を粗面化することによっても形成できる。
【００５１】
上述したように、透明基板１１は各有機ＥＬ発光素子１２から放射された各色の光を透過する特性を備えている。このため、図４に示すように、各有機ＥＬ発光素子１２から放射された光は、透明基板１１及び光拡散部１３を透過して、有機ＥＬ面発光パネル２から外部へ放射される。
【００５２】
図３及び図４に示すように、封止部１４は、各有機ＥＬ発光素子１２を覆い、各有機ＥＬ発光素子１２の発光材料が大気によって酸化劣化すること等を防止する機能がある。また、封止部１４は空隙１８を充填し、透明基板１１の有機ＥＬ発光素子形成面１１ａが露出しないように形成されている。実施例１において、封止部１４は、透光性を備えるエポキシ樹脂である。なお、封止部１４は、エポキシ樹脂以外にもシリコーン樹脂等の透光性を備える他の透明樹脂であってもよい。
【００５３】
また、封止部１４は、上述したような樹脂から構成されていることに限定されることはない。例えば、封止部１４は、複数の有機ＥＬ発光素子１２を全体的に覆うようなプラスチック等の透光性部材であってもよい。このような場合には、空隙１８は、封止部１４によって充填されることがない。なお、各発光素子間の空隙１８には、上述した封止部１４に用いる材料とは異なる、絶縁性の樹脂等からなる隔壁が形成されていてもよい。
【００５４】
実施例１においては、ボトムエミッションタイプの有機ＥＬ面発光パネル３を用いたが、トップエミッションタイプの有機ＥＬ面発光パネルを用いてもよい。この場合には、複数の有機ＥＬ発光素子１２を支持する透明基板１１に代えて不透明な各種の支持基板を用いることができる。また、上述した実施例においては、有機ＥＬ発光素子１２ごとに発光色の異なる有機層１６が用いられていたが、全ての有機ＥＬ発光素子１２の有機層１６が、赤色光用の発光材料、緑色光用の発光材料、及び青色光用の発光材料が均一に分散された高分子分散型のＥＬ材料から構成されてもよい。また、赤色光用の発光材料からなる層、緑色光用の発光材料からなる層、及び青色光用の発光材料からなる層を積層した積層型の有機ＥＬ発光素子を用いてもよいし、いずれか２色の発光材料を混合した層と残りの１色の発光材料からなる層との積層型の有機ＥＬ発光素子を用いてもよい。
【００５５】
なお、実施例１においては、面発光パネルとして有機ＥＬ面発光パネル３を用いたが、無機ＥＬ発光体や、ＬＥＤと導光板とを組み合わせた面発光体パネル用いてもよい。また、実施例１において、面発光パネルの形状は長方形であるが、その形状は限定されるものではなく、正方形、円形、楕円形、三角形、又はその他の形状であってもよい。
【００５６】
上述したような有機ＥＬ面発光パネル２は薄型且つ軽量であるため、有機ＥＬ面発光パネル２を備える面発光体５も比較的に薄型且つ軽量となる。従って、ヒンジ６を介して面発光体５を容易に取り付けることができる。また、面発光体５を座席１の背部１ｃに取り付けた状態であっても、座席１の背部１ｃから面発光体５がほとんど突出することがなくなり、照明装置を収納するための凹部を座席１の背部１ｃに設ける必要がなくなる。これにより、座席１自体のコスト増加の抑制することができ、更には座席１を複数並設する輸送用機器又は各種の施設において、座席１の設置数及び座席間隔を変更することなく、座席用照明装置２を座席１に設置することができ、収容人数の維持を図ることができる。
【００５７】
＜座席用照明装置の電気回路構成＞
実施例１に係る座席用照明装置２を構成する電気回路の具体的構成について、図５を参照しつつ詳細に説明する。ここで、図５は、実施例１に係る座席用照明装置２の部分的な電気回路図である。
【００５８】
図５に示すように、有機ＥＬ面発光パネル３は、赤色光を発する複数の有機ＥＬ発光素子１２Ｒから構成される赤色発光素子群２１と、緑色光を発する複数の有機ＥＬ発光素子１２Ｇから構成される緑色発光素子群２２と、青色光を発する複数の有機ＥＬ発光素子１２Ｂから構成される青色発光素子群２３と、から構成されている。なお、図６においては、回路構成を容易に示すために有機ＥＬ発光素子１２Ｒ同士、有機ＥＬ発光素子１２Ｇ同士、有機ＥＬ発光素子１２Ｂ同士が並置されているが、実際には、図３及び図４に示されているように、有機ＥＬ発光素子１２Ｒ、有機ＥＬ発光素子１２Ｇ、有機ＥＬ発光素子１２Ｂの順序で並置されている。
【００５９】
また、図５から分かるように、有機ＥＬ発光素子１２の陽極１５は電力供給回路２４に接続され、有機ＥＬ発光素子１２の陰極１７は接地されている（すなわち、グランド電位に接続されている）。また、有機ＥＬ発光素子１２Ｒのアノード（陽極１５）同士は電気的に接続されている。すなわち、有機ＥＬ発光素子１２Ｒ同士は、並列に接続されている。同様に、有機ＥＬ発光素子１２Ｇのアノード（陽極１５）同士は電気的に接続され、有機ＥＬ発光素子１２Ｇ同士は並列に接続されている。また、有機ＥＬ発光素子１２Ｂのアノード（陽極１５）同士は電気的に接続され、有機ＥＬ発光素子１２Ｂ同士は並列に接続されている。
【００６０】
電力供給回路２４は、複数のｎチャネルＭＯＳトランジスタ２５（以下、ｎＭＯＳ２５と称する）から構成されている。そして、有機ＥＬ面発光パネル３に対して、３つのｎＭＯＳ２５が接続されている。具体的には、複数の有機ＥＬ発光素子１２Ｒ（すなわち、赤色発光素子群２１）に１つのｎＭＯＳ２５が接続され、複数の有機ＥＬ発光素子１２Ｇ（すなわち、緑色発光素子群２２）に１つのｎＭＯＳ２５が接続され、複数の有機ＥＬ発光素子１２Ｂ（すなわち、青色発光素子群２３）に１つのｎＭＯＳ２５が接続されている。以下において、有機ＥＬ発光素子１２Ｒに接続されたｎＭＯＳ２５をｎＭＯＳ２５Ｒとも称し、有機ＥＬ発光素子１２Ｇに接続されたｎＭＯＳ２５をｎＭＯＳ２５Ｇとも称し、有機ＥＬ発光素子１２Ｂに接続されたｎＭＯＳ２５をｎＭＯＳ２５Ｂとも各々称する。
【００６１】
より具体的な接続関係として、ｎＭＯＳ２５のそれぞれのゲートは、制御回路２６に接続され、ｎＭＯＳ２５のそれぞれのソースは、有機ＥＬ発光素子１２の各アノードに接続され、ｎＭＯＳ２５のドレインは外部電源２７に接続されている。
【００６２】
制御回路２６は、一般的な半導体集積回路から構成され、有機ＥＬ面発光パネル３の発光を制御している。すなわち、制御回路２６は、外部電源２７から供給される電力を利用し、各ｎＭＯＳ２５に独立してゲート電圧を印可することにより、有機ＥＬ面発光パネル３の発光色及び輝度を変化させている。
【００６３】
より詳細には、制御回路２６は、外部電源２７から供給される電力から所望のゲート電圧を生成することがき、各ｎＭＯＳ２５に独立してゲート電圧を印可し、更には印可するゲート電圧をｎＭＯＳ２５毎に変更することができる。これにより、有機ＥＬ発光素子１２Ｒ、１２Ｇ、１２Ｂごとに供給される電力を調整することができ、有機ＥＬ発光素子１２Ｒ、１２Ｇ、１２Ｂごとに放射される光の量が異なることとなり、有機ＥＬ面発光パネル３から放射される合成光の色（すなわち、発光色）及び輝度を自在に変化させることができる。すなわち、各ｎＭＯＳ２５のゲートに印可されるゲート電圧を調整することにより、有機ＥＬ面発光パネル３から放射される合成光の色を白色光のみならず、可視波長領域の様々な色に調整することができ、更には各発光色における輝度も変化させることができる。
【００６４】
更に、ｎＭＯＳ２５Ｒのみにゲート電圧を印可する場合、赤色発光素子群２１を構成する有機ＥＬ発光素子１２Ｒのみに電力が供給され、有機ＥＬ面発光パネル３から放射される光は赤色となる。同様に、ｎＭＯＳ２５Ｇのみにゲート電圧を印可する場合、緑色発光素子群２２を構成する有機ＥＬ発光素子１２Ｇのみに電力が供給され、有機ＥＬ面発光パネル３から放射される光は緑色となり、ｎＭＯＳ２５Ｂのみにゲート電圧を印可する場合、青色発光素子群２３を構成する有機ＥＬ発光素子１２Ｂのみに電力が供給され、有機ＥＬ面発光パネル３から放射される光は青色となる。すなわち、有機ＥＬ面発光パネル３からは、白色光等の合成光だけでなく、有機ＥＬ発光素子１２Ｒ、１２Ｇ、１２Ｂのそれぞれの発光色の光を単独で放射することもできる。更に、上述した３つの発光素子群のうちから２つを選択して電力を供給することで、有機ＥＬ面発光パネル３から選択した２色の合成光（例えば、シアン或いはマゼンダの発光色の光）を放射することも可能である。
【００６５】
なお、上述した実施例において、制御回路２６は、ｎＭＯＳ２５に供給するゲート電圧を変化させることにより有機ＥＬ面発光パネル３から放射される光を調整していたが、これに限定されることはない。例えば、制御回路２６は、各ｎＭＯＳ２５におけるオンオフのデューティ比を変更するようにｎＭＯＳ２５ごとに異なるゲート電圧を供給することにより、有機ＥＬ発光素子１２Ｒ、１２Ｇ、１２Ｂの発光強度を調整してもよい。また、ｎＭＯＳを用いることなく、他のトランジスタを用いて電力供給回路２４を形成してもよく、その他のスイッチ等を用いて電力供給回路２４を構成してもよい。
【００６６】
なお、電力供給回路２４、及び制御回路２６は、座席１の座部１ａ、脚部１ｂ、又は背部１ｃの内部若しくは表面、又は支持体４の表面若しくは内部等に設置されている。電力供給回路２４、及び制御回路２６は、座席１の着座者が視認することや触れることができない場所に設置することが好ましい。これは、座席１の美観及び機能性（例えば、座り心地）が低下するおそれがあるからである。また、外部電源２７は、座席１の外部に設けられており、例えば、複数の座席１に対して１つの外部電源２７が共通して接続していてもよい。
【００６７】
また、電力供給回路２４から有機ＥＬ面発光パネル３への電力や制御信号等の供給は、ヒンジ６の内部に収納されたフレキシブルプリント配線基板（ＦＰＣ：Flexible printed circuits）を介して座席１の背部１ｃから行ってもよい。更には、座席１の背部１ｃから有機ＥＬ面発光パネル３に延在する配線を別途設けてもよい。
【００６８】
そして、有機ＥＬ面発光パネル３のオンオフ駆動、及び輝度を調整するための信号を制御回路２６に供給するために、各座席１の背部１ｃ又は側部等にスイッチ又はその他のインターフェイス等が設けられてもよい。また、輸送用機器又は施設等のスペースに複数の座席１が設けられている場合には、全ての座席１の有機ＥＬ面発光パネル３を集中管理する機器を当該輸送用機器又は施設に設け、当該集中管理する機器から、各座席１の制御回路２６に各種の信号が供給されてもよい。このような構成により、例えば、航空機の離着陸時において、当該航空機内の座席１に設置された座席用照明装置２の全てを強制的に消灯することができる。
【００６９】
＜座席用照明装置の使用態様＞
次に、図６乃至図８を参照しつつ、実施例１に係る座席用照明装置２の使用態様について説明する。図６は、実施例１に係る座席用照明装置２を前後方向に３個並設した（すなわち、３列に配置された）状態を示す側面図である。図７及び図８は、テーブル付きの座席に実施例１に係る座席用照明装置２を設置した状態を示す側面図である。特に、図７は座席用照明装置２の非使用状態を示す側面図であり、図８は座席用照明装置２の使用状態を示す側面図である。
【００７０】
先ず、図６に示すように、実施例１に係る座席用照明装置２は、座席用照明装置２が設置された座席１の後方に位置する座席１の着座者が使用するように設置されている。すなわち、座席１の着座者は、自身の着座する座席１の前方に位置する座席１の背部１ｃに取り付けられた座席用照明装置２を使用することになる。この際、座席１の着座者は、自身の着座する座席１の前方に位置する座席１の背部１ｃの傾斜角度に応じて、面発光体５を回動させて、有機ＥＬ面発光パネル３の光出射方向を調整することが可能である。
【００７１】
より具体的な光出射方向の調整として、例えば、図６における２列目の座席１に着座する着座者は、１列目の座席１の背部１ｃが座部１ａの座面に対して約１３５度以上傾斜しているため（すなわち、背部１ｃが後方に向かって倒れ、着座者が寝るような状態にあるため）、１列目の座席１の面発光体５を１列目の座席１の背部１ｃに対してほぼ平行に調整する。これにより、２列目の座席１に着座する着座者は、１列目の座席１の面発光体５から出射する光を自身の手元等に照射することができ、周囲が暗い状態であっても読書等の所望の作業を行うことができる。
【００７２】
また、図６の３列目の座席１に着座する着座者は、２列目の座席１の背部１ｃが座面に対してほぼ垂直な状態であるため、２列目の座席１の面発光体５を２列目の座席１の背部１ｃに対して約４５度傾ける。これにより、３列目の座席１に着座する着座者は、２列目の座席１の面発光体５から出射する光を自身の手元等に照射することができ、周囲が暗い状態であっても読書等の所望の作業を行うことができる。
【００７３】
なお、図６に示す使用態様は一例に過ぎず、実施例１に係る座席用照明装置２の使用態様は、前方に位置する座席１の状態に限られず、例えば、着座者の着座状態等に応じて様々な態様に変更してもよい。例えば、着座者の手元のみならず、面発光体５と背部１ｃとの傾斜角度を調整し、足下を照らすような照明として使用することもできる。
【００７４】
図７に示すように、座席１の背部１ｃにヒンジ３１を介してテーブル３２が回動自在に設置されている場合であって、面発光体５の非使用状態においては、面発光体５はテーブル３２と重なり一体的となる。このような状態にすることにより、面発光体５がテーブル３２によって保護され、非使用状態時における面発光体５の汚れ及び損傷を防止することができる。また、面発光体５はテーブル３２と重なって一体的になることにより、座席１の背部１ｃからの突出部分が小さくなり、座席１を一列に複数並置する場合においても座席間のスペースの大きさを維持することができる。
【００７５】
図８に示すように、テーブル３２の使用状態においては、テーブル３２の使用面（上面）に光照射されるように、面発光体５を回動させて光出射方向を調整してもよい。このように面発光体５からテーブル３２に向かって光が出射されることにより、座席１の周囲が暗い状態においても、テーブル３２上の飲食及び読書等を快適に行うことが可能になる。
【００７６】
なお、テーブル３２が非使用時に座席３２の脇及び肘掛部に収納される場合であっても、面発光体５を自在に回動することができるため、面発光体５から出射する光をテーブル３２に照射し、テーブル３２上における所望の作業を行うことができる。
【００７７】
＜実施例１の効果＞
実施例１において、座席１に設置される座席照明装置２は、発光源として有機ＥＬ面発光パネル３を備える面発光体５と、面発光体５を座席１に回動自在に連結するヒンジ６とを有している。このような構成により、座席用照明装置２は、薄型化及び小型化を容易に図ることができ、座席１等に大型の設置スペース、取り付け器具、又は取り付け構造を設ける必要がなくなり、座席用照明装置２及びこれを設置する座席１のコスト低減も図ることができる。
【００７８】
また、座席用照明装置２が座席１に対して回動自在に取り付けられているため、面発光体５の光出射方向を容易に調整することができ、座席１の状態に係わらず所望の場所に対して的確に光を照射することができる。従って、座席１を複数並置する場合であっても、面発光体５から出射する光が座席１の周囲に漏れることがなく、他の着座者の不快感を抑制することができる。
【００７９】
更に、上述した座席用照明装置２は、航空機、バス、若しくは列車等の多人数を輸送する輸送用機器に設けられる座席１、又は会議場、劇場、映画館、若しくは野外ホール等の施設に設けられる座席１に設置することができる。この際、座席用照明装置２が小型且つ薄型であるため、座席１の設置数及び座席間隔を変更することなく、座席用照明装置２を座席１に設置することができ、収容人数の維持を図ることができる。
【００８０】
＜実施例１の変形例＞
上述した座席用照明装置２の構造は一例に過ぎず、各種の構成部材は、本発明の要旨を変更しない範囲において任意に変更することが可能である。以下において、座席用照明装置２の変形例を説明する。
【００８１】
上述した実施例に係る座席用照明装置２においては、座席１の背部１ｃの裏面１ｄに沿って延在する回動軸を中心に面発光体５を回動自在に連結する１軸のヒンジ６を用いていたが、回動軸を複数有するヒンジを用いてもよい。このようなヒンジを用いた座席用照明装置２’について、図９を参照しつつ説明する。ここで、図９は、変形例に係る座席用照明装置２’を座席１の背部１ｃに設置した状態を示す背面図である。なお、図９において、ヒンジ以外の構成は上述した実施例と同一であるため、上述した実施例に係る構成と同一の構成については同一の符号を付し、その説明は省略する。
【００８２】
ヒンジ６’は、上述した実施例１に係るヒンジ６と同様に、座席１の背部１ｃの裏面１ｄに沿った回動軸を有し、面発光体５を自在に回動させて、面発光体５と背部１ｃの裏面１ｄとのなす角度を変更することができる。また、図９に示すように、ヒンジ６’は、座席１の背部１ｃの裏面１ｄに直交する回動軸を有している。これにより、ヒンジ６’は、面発光体５を裏面１ｄ上において両方向矢印ＩＸに沿って回動することができる。以上のことから、ヒンジ６’は、互いに異なる方向に延在する２つの回動軸である、座席１の背部１ｃの裏面１ｄに沿った回動軸、及び座席１の背部１ｃの裏面１ｄに直交する回動軸を有する２軸ヒンジとして機能する。なお、本変形例においては、座席１の背部１ｃの裏面１ｄに沿った回動軸が主回動軸であって、座席１の背部１ｃの裏面１ｄに直交する回動軸は当該主回動軸を補助するような副回動軸（追加回動軸）として機能することになる。
【００８３】
このような２軸のヒンジ６’を用いることにより、面発光体５を使用する後方の座席１の着座者は、面発光体５の光出射方向をより高精度に調整することができ、着座者の所望の位置に対してスポット的に光を照射することができる。従って、座席１が行方向にも並置されている場合に、隣接する座席１に対する光の漏れを防止することができる。
【００８４】
また、このような２軸のヒンジ６’を用いることにより、面発光体５の光出射方向をより高精度に調整することができるため、比較的小型の面発光体５であっても照明装置としての機能を十分に発揮することができる。従って、面発光体５のコスト低減を図ることができるとともに、座席用照明装置２’が座席１の背部１ｃを占めるスペースを小さくすることが可能となり、テーブルやディスプレイ等の他の設備を座席１に容易に設置することが可能になる。
【００８５】
なお、本変形例においては２軸のヒンジ６’を用いて説明したが、３軸以上の回動軸を備える多軸のヒンジを用いても良い。また、副回動軸の延在方向は、座席１の背部１ｃの裏面１ｄに直交する方向に限定されず、座席１の使用環境及び着座者の使用態様に応じて適宜変更することができる。更に、主回動軸及び副回動軸は、上述した変形例に限定されることなく、座席用照明装置２’の使用者が適宜変更することができる。例えば、座席１の背部１ｃの裏面１ｄに直交する回動軸を主回動軸と、座席１の背部１ｃの裏面１ｄに沿った回動軸を副回動軸としてもよい。
【００８６】
次に、図１０及び図１１を参照しつつ、座席用照明装置２の変形例として、面発光体５から出射する光の漏れの防止を向上させた座席用照明装置２”について説明する。図１０は、本変形例に係る座席用照明装置２”の側面図である。図１１は、本変形例に係る座席用照明装置２”の正面図である。なお、図１０及び図１１において、上述した実施例に係る構成と同一の構成については同一の符号を付し、その説明は省略する。
【００８７】
図１０及び図１１に示すように、座席用照明装置２”は、面発光体５の側部に２つの遮光板４１を備えている。より具体的には、遮光板４１は、支持体４の支持面４ａの側部であってヒンジ６の回動軸の延在方向の両端に設けられ、有機ＥＬ面発光パネル３の側部であってヒンジ６の回動軸の延在方向の両端を囲むように配置されている。遮光板４１の平面形状は三角形であり、ヒンジ６が取り付けられた支持体４の一端部から当該一端部に対向する他端部に向かってその大きさが徐々に小さくなっている。このような遮光板４１の形状により、ヒンジ６が取り付けられた支持体４の一端部に対向する他端部側においては、有機ＥＬ面発光パネル３が、支持体４の支持面４ａの側部であってヒンジ６の回動軸の延在方向の両端において露出することになる。
【００８８】
座席用照明装置２”を座席１の背部１ｃに取り付ける場合、遮光板４１は、座席用照明装置２”の非使用時において座席１の背部１ｃの裏面１ｄに接触し、ストッパとして機能してもよい。また、座席１の背部１ｃにスリットを形成し、座席用照明装置２”の非使用時において、当該スリット内に遮光板４１を収納するようにしてもよい。
【００８９】
このような遮光板４１を設けることにより、有機ＥＬ面発光パネル３から出射する光がヒンジ６の回動軸の延在方向の両端から漏れ出すことを防止できる。従って、遮光板４１は、座席１が行方向に並置されている場合に、隣接する座席１に対する光の漏れを防止することができる。
【００９０】
本変形例において、遮光板４１の平面形状は三角形であったが、このような形状に限定されることはない。例えば、四角形、又は半円状等の他の形状であってもよく、座席１の周辺環境及び座席用照明装置２”の使用環境に応じて適宜変更することができる。
【実施例２】
【００９１】
上述した実施例１においては、座席１の背部１ｃの裏面１ｄに座席用照明装置２、２’、２”を設置していたが、座席用照明装置の設置場所は背部１ｃの裏面１ｄに限定されることがない。例えば、座席の肘掛け又は座部の側面等の座席の側部に設置してもよい。このような座席の側部に設置する場合を実施例２として以下に説明する。
【００９２】
＜座席用照明装置の構成＞
本発明の実施例に係る座席用照明装置を備える座席について、図１２乃至図１５を参照しつつ説明する。図１２は、実施例２に係る座席用照明装置を備える座席の座席照明用装置の非使用状態の斜視図である。図１３は、図１２に係る座席の正面図である。図１４は、図１２に係る座席の側面図である。図１５は、実施例２に係る座席用照明装置の使用状態における座席の側面図である。
【００９３】
図１２乃至図１４に示すように、座席１０１は、輸送用機器又は各種の施設に備え付けられる一般的な着座装置であって、着座者が腰掛ける座部１０１ａ、座部１０１ａの底面に取り付けられた４本の脚部１０１ｂ、及び座部１０１ａの後端部に取り付けられた背部１０１ｃ、及び座部１０１ａの側部に設けられた肘掛け部１０１ｅから構成されている。ここで、肘掛け部１０１ｅは、座席１０１の側部として設けられている。なお、背部１０１ｃは、座部１０１ａに対する傾斜角を自在に変更することができるように、座部１０１ａに対して回動自在に担持されていてもよく、或いは固定されていてもよい。
【００９４】
また、図１２乃至図１４に示すように、座席１０１の肘掛け部１０１ｅには、座席用照明装置１０２が設置されている。座席用照明装置１０２は、有機ＥＬ面発光パネル１０３及び有機ＥＬ面発光パネル１０３の非発光面を被覆し且つ支持する支持体１０４からなる面発光体１０５と、面発光体１０５を回動自在に保持するヒンジ１０６と、ヒンジ１０６を介して面発光体１０５を肘掛け部１０１ｅに連結する連結部材１０７と、から構成されている。
【００９５】
より具体的な構成として、座席１０１の肘掛け部１０１ｅの側面に、肘掛け部１０１ｅの延在方向に沿って延在する連結部材１０７が固定されている。連結部材１０７のヒンジ取付面１０７ａには２つヒンジ１０６が取り付けられ、当該２個のヒンジ１０６によって支持体１０４の一端部が保持されている。そして、支持体１０４の支持面１０４ａ側に、有機ＥＬ面発光パネル１０３の非発光面が接触するように、有機ＥＬ面発光パネル１０３が貼り付けられている。すなわち、連結部材１０７及びヒンジ１０６が、面発光体１０５の一端部と座席１０１の側部である肘掛け部１０１ｅとを連結する連結手段として機能している。
【００９６】
また、ヒンジ１０６の回動軸は、連結部材１０７の延在方向に沿って延在している。すなわち、ヒンジ１０６の回動軸は、座席１０１の掛け部１０１ｅ及び連結部材１０７に対して平行である。従って、座席用照明装置１０２の使用者は、当該回動軸を中心に面発光体１０５を回動させ、非使用位置（図１３の実線によって示された位置）と使用位置（例えば、図１３の破線線によって示された位置）との間において、面発光体１０５の位置を自在に変化させ、面発光体１０５から出射される光の方向を調整することになる。すなわち、ヒンジ１０６は、面発光体１０５と連結部材１０７との接続部分を中心に、面発光体１０５を図１３中の双方向矢印XIIIに沿って回動し、面発光体１０５の光出射方向を調整する回動手段としても機能している。
【００９７】
更に、ヒンジ１０６は、面発光体１０５を回動自在に保持するだけでなく、面発光体１０５を上述した非使用位置、及び各種の使用位置において、その状態を維持するためストッパ機構を備えている。これにより、面発光体１０５と連結部材１０７とのなす角度を自在に変更しつつ維持することができるため、座席用照明装置１０２の使用者である座席１０１の着座者は、面発光体１０５から出射する光を所望の位置に照射することができる。
【００９８】
連結部材１０７は、例えば、プラスチック、又は金属等の比較的に軽量且つ硬質な部材から構成されている。図１５の双方向矢印XVによって示すように、連結部材１０７は、延在方向においてその長さを自在に変更することができる。すなわち、連結部材１０７は伸縮自在である。実施例２においては、連結部材１０７はヒンジ１０６が取り付けられている部分が、肘掛け部１０１ｅの延在方向に沿い且つ座席１０１の前方に向かって突出可能な伸縮構造を有している。より具体的には、連結部材１０７は、開口寸法の大きな角状の筒の内部に開口寸法の小さな角状の筒が収納され、当該小さな角状の筒の内部に更に小さな角状の筒が収納される構成を備えている。また、最外部に位置する筒にヒンジ１０６が取り付けられ、最内部に位置する筒が連結部材１０７に固定されている。そして、核筒を内部に位置する筒に対してスライドさせることにより、連結部材１０７の長さを調整することができる。
【００９９】
なお、面発光体１０５並びにそれを構成する有機ＥＬ面発光パネル１０３及び支持体１０４は、実施例１に係る面発光体５、有機ＥＬ面発光パネル３、及び支持体１０４に対応し、その構成は同一であるため、各説明は省略する。また、実施例２に係る座席用照明装置１０２を構成する電気回路の具体的構成についても、上述した実施例と同一であるため、その説明は省略する。
【０１００】
図１２乃至図１４において示すように、座席用照明装置１０２の非使用時において、面発光体１０５は座席１の肘掛け部１０１ｅに対して平行に配置されている。このように面発光体１０５を配置することにより、座席用照明装置１０２の非使用時における座席１０１の幅を小さくすることができ、座席１０２を行方向に複数並置する場合に、より多くの座席１０２を設置することが可能になる。従って、座席１０１を複数並設する輸送用機器又は各種の施設において、座席１０１の設置数及び座席間隔を変更することなく、座席用照明装置１０２を座席１０１に設置することができ、収容人数の維持を図ることができる。
【０１０１】
以上のような座席用照明装置１０２の構成により、実施例２に係る座席用照明装置１０２は、実施例１に係る座席用照明装置２とは異なり、座席用照明装置１０２が設置されている座席１０１に着座する着座者が座席用照明装置１０２を使用することになる。具体的な座席用照明装置１０２の使用としては、先ず、連結部材１０７を図１５の状態になるように伸長させ、面発光体１０５を肘掛け部１０１ｅの前方部分に配置する。その後、面発光体１０５をヒンジ１０６の回動軸に中心に回動させ、面発光体１０５の光出射方向を調整する。これにより、座席１０１の着座者である面発光体１０５の使用者は、所望の位置に光を照射することができ、座席１０１の周囲が暗い状況においても所望の作業を行うことが可能になる。
【０１０２】
＜実施例２の効果＞
実施例２において、座席１０１に設置される座席照明装置１０２は、発光源として有機ＥＬ面発光パネル１０３を備える面発光体１０５と、面発光体１０５を座席１０１に回動自在に連結するヒンジ１０６及び連結部材１０７とを有している。このような構成により、座席用照明装置１０２は、上述した実施例１の座席用照明装置２と同様に、小型化及び薄型化、並びにコスト低減を図ることができる。そして、座席用照明装置１０２の小型化及び薄型化により、座席１０１の設置数及び座席間隔を変更することなく、座席用照明装置１０２を座席１０１に設置することができ、収容人数の維持を図ることができる。
【０１０３】
また、座席１０１の状態に係わらず所望の場所に対して的確に光を照射することができ、座席１０１を列方向に複数並置する場合であっても、面発光体１０５から出射する光が座席１０１の周囲に漏れることがなく、他の着座者の不快感を抑制することができる。
【０１０４】
なお、実施例２に係る座席用照明装置１０２は、座席用照明装置１０２が設置された座席１０１の着座者自身によって使用することができるため、輸送用機器及び各種の施設等に設けられる座席のみならず、家庭用の一般的な椅子等の着座装置にも設置することができる。
【０１０５】
＜実施例２の変形例＞
上述した座席用照明装置１０２の構造は一例に過ぎず、各種の構成部材は、本発明の要旨を変更しない範囲において任意に変更することが可能である。以下において、座席用照明装置１０２の変形例を説明する。
【０１０６】
上述した実施例２に係る座席用照明装置１０２においては、座席１０１の肘掛け部１０１ｅに沿って延在する回動軸を中心に面発光体１０５を回動自在としつつ連結する１軸のヒンジ１０６を用いていたが、回動軸を複数有するヒンジを用いてもよい。また、上述した実施例２に係る座席用照明装置１０２においては、連結部材１０７が伸縮自在であったが、連結部材が肘掛け部１０１ｅに沿って移動自在であってもよい。このようなヒンジ及び連結部材を用いた座席用照明装置１０２’について、図１６乃至図１８を参照しつつ説明する。ここで、図１６は、本変形例に係る座席用照明装置１０２’を座席１０１の肘掛け部１０１ｅに設置した状態を示す斜視図である。図１７は、図１６の座席１０１の正面図である。図１８は、図１６の座席１０１の側面図である。なお、図１６乃至図１８において、上述した実施例２に係る構成と同一の構成については同一の符号を付し、その説明は省略する。
【０１０７】
図１６乃至図１８に示すように、本変形例において、座席用照明装置１０２’は、座席１０１の肘掛け部１０１ｅに移動自在に取り付けられた連結部材１０７’、連結部材１０７’の先端部分に取り付けられたヒンジ１０６’、及びヒンジ１０６’によって回動自在に支持された面発光体１０５から構成されている。
【０１０８】
ヒンジ１０６’は、上述した実施例２に係るヒンジ１０６と同様に、座席１０１の肘掛け部１０１ｅに沿った回動軸を有し、当該回動軸を中心として面発光体１０５を自在に回動する。より具体的に、ヒンジ１０６’は、図１７の双方向矢印XVIIに沿って、面発光体１０５を自在に回動することができる。すなわち、ヒンジ１０６’は、座席１０１の左右に面発光体１０５を傾けることができる。また、図１８に示すように、ヒンジ１０６’は、座席１の肘掛け部１０１ｅに沿った回動軸に直交する回動軸を有している。これにより、ヒンジ１０６’は、面発光体１０５を図１８の双方向矢印XVIIIａ、XVIIIｂに沿って、面発光体１０５を自在に回動することができる。すなわち、ヒンジ１０６’は、座席１０１の前後に面発光体１０５を傾けることもできる。以上のことから、ヒンジ１０６’は、互いに異なる方向に延在する２つの回動軸である、座席１０１の肘掛け部１０１ｅに沿った回動軸、及び座席１の肘掛け部１０１ｅに沿った回動軸に直交する回動軸を有する２軸ヒンジとして機能する。なお、本変形例においては、座席１０１の肘掛け部１０１ｅに沿った回動軸が主回動軸であって、当該主回動軸に直交する回動軸は当該主回動軸を補助するような副回動軸（追加回動軸）として機能することになる。
【０１０９】
また、連結部材１０７’は、座席１０１の肘掛け部１０１ｅの側面に設けられた溝１０１ｆに嵌め込まれる凸部を有している。連結部材１０７’は、当該凸部を溝１０１ｆに沿って摺動させることにより、肘掛け部１０１ｅの延在方向（すなわち、図１８の双方向矢印XVIIIc）に沿って移動することができる。なお、連結部材１０７’に溝を設けるとともに、且つ肘掛け部１０１ｅの側面に凸部を設け、連結部材１０７’を当該凸部に沿って摺動させる構成としてもよい。
【０１１０】
このような２軸のヒンジ１０６’を用いることにより、面発光体１０５を使用する座席１０１の着座者は、面発光体１０５の光出射方向をより高精度に調整することができ、着座者の所望の位置に対してスポット的に光を照射することができる。従って、座席１０１が周囲に複数並置されている場合に、隣接する座席１０１に対する光の漏れを防止することができる。
【０１１１】
また、このような２軸のヒンジ１０６’を用いることにより、面発光体１０５の光出射方向をより高精度に調整することができるため、比較的小型の面発光体１０５であっても照明装置としての機能を十分に発揮することができる。従って、面発光体１０５のコスト低減を図ることができるとともに、座席用照明装置１０２’が座席１０１の側部を占めるスペースを小さくすることが可能となり、テーブル等の他の設備を座席１０１の側部に容易に設置することが可能になる。
【０１１２】
なお、図１９に示すように、連結部材１０７’は、連結部材１０７’と座席１０１の側部である肘掛け部１０１ｅとの接続部分において、肘掛け部１０１ｅに対して回動自在であってもよい。これにより、図１９の矢印XIXに沿って連結部材１０７’を回動させ、連結部材１０７’とともに面発光体１０５を下方に配置して非使用状態を形成してもよい。また、連結部材１０７’を回動して面発光体１０５を上方に配置させ、肘掛け部１０１ｅの上方から所望の位置に対してスポット的に光を照射してもよい。これにより、面発光体１０５の非使用状態において、面発光体１０５及び連結部材１０７’を座席１０１に対してより一体的に配置することができ、更には面発光体１０５の使用状態において、面発光体１０５の光出射方向の調整範囲をより拡大することができる。
【０１１３】
また、図２０に示すように、座席用照明装置１０２’を座席１０１の側部に該当する座面１０１ａの側面に直接的に設置してもよい。このような場合には、図２０の矢印XXに沿って回動自在となるように、連結部材１０７’を座部１０１ａの側面に取り付けることが好ましい。これにより、面発光体１０５を使用する場合のみに、連結部材１０７’を回動させて面発光体１０５を上方に配置し、面発光体１０５の非使用において面発光体１０５を着座者の邪魔にならない下方に配置して置くことが可能になる。そして、座面１０１ａの側面に直接的に座席用照明装置１０２’を取り付ける場合には、座席用照明装置１０２’の使用者は座席１０１の着座者に限られず、連結部材１０７’を座席１０１の後方に向けて回動させることにより、座席用照明装置１０２が設置された座席１０１の後方に位置する座席に着座する着座者も使用することが可能になる。
【０１１４】
以上、実施例２及びその変形例において、座席の側部に本発明の座席用照明装置を設置する形態について示したが、座席の肘掛け又は座部の側面等が、座席用照明装置を収納可能な程度に大きな幅及び高さを有する場合は、座席用照明装置を座席の肘掛け又は座部の側面等の内部に収容可能な構造とすることが、省スペース化の観点から好ましい形態である。
【符号の説明】
【０１１５】
１、１０１    座席
１ａ、１０１ａ    座部
１ｂ、１０１ｂ    脚部
１ｃ、１０１ｃ    背部
１ｄ    裏面
２、２’、２”、１０２、１０２’    座席用照明装置
３、１０３    有機ＥＬ面発光パネル
４、１０４    支持体
４ａ、１０４ａ    支持面
５、１０５    面発光体
６、６’、１０６、１０６’    ヒンジ
１１    透明基板
１２、１２Ｒ、１２Ｇ、１２Ｂ    有機ＥＬ素子
１３    光拡散部
１４    封止部
１５、１５Ｒ、１５Ｇ、１５Ｂ    陽極
１６、１６Ｒ、１６Ｇ、１６Ｂ    有機層
１７、１７Ｒ、１７Ｇ、１７Ｂ    陰極
１８    空隙
２１    赤色発光素子群
２２    緑色発光素子群
２３    青色発光素子群
２４    電力供給回路
２５    ｎチャネルＭＯＳトランジスタ（ｎＭＯＳ）
２６    制御回路
２７    外部電源
３１    ヒンジ
３２    テーブル
４１    遮光板
１０１ｅ    肘掛け部
１０１ｆ    溝
１０７、１０７’    連結部材
１０７ａ    ヒンジ取付面
【図１】
2014117387.tif 000003
【図２】
2014117387.tif 000004
【図３】
2014117387.tif 000005
【図４】
2014117387.tif 000006
【図５】
2014117387.tif 000007
【図６】
2014117387.tif 000008
【図７】
2014117387.tif 000009
【図８】
2014117387.tif 000010
【図９】
2014117387.tif 000011
【図１０】
2014117387.tif 000012
【図１１】
2014117387.tif 000013
【図１２】
2014117387.tif 000014
【図１３】
2014117387.tif 000015
【図１４】
2014117387.tif 000016
【図１５】
2014117387.tif 000017
【図１６】
2014117387.tif 000018
【図１７】
2014117387.tif 000019
【図１８】
2014117387.tif 000020
【図１９】
2014117387.tif 000021
【図２０】
2014117387.tif 000022